(57)【要約】【課題】同乗者の安定性に優れた補助シート及びその補助シートを備えた自転車の提供。【解決手段】補助シート２２は、本体４４、座いす５２及びガイドバー４８を備えている。ガイドバー４８は、座いす５２の外側に位置している。ガイドバー４８の横バーは、座いすの側面に位置して座いす５２の前後方向に伸びている。補助シート２２は、自転車２に取り付けられて同乗者を乗せるために使用される。好ましくは、補助シート２２の横バーが本体４４に対して座いす５２の前後方向を回転軸に回動可能とされている。この補助シート２２は、上記座いす５２に腰掛けた同乗者が足を載せるステップ４６を備えている。横バーは、前後方向に伸びた姿勢を維持した状態でステップ４６より下方に回動した位置が下降点とされている。この補助シート２２を備えた自転車２は、左右一対の補助車輪１４を備えている。補助車輪１４は、上下方向の移動が固定可能とされている。【選択図】図１
2009248837.tif 000002
【特許請求の範囲】
【請求項１】
本体、座いす及びガイドバーを備えており、
この座いすが本体に固定されており、
このガイドバーが本体に固定され座いすの外側に位置しており、
このガイドバーが横バーを備えており、
この横バーが座いすの側面に位置して座いすの前後方向に伸びており、
自転車に取り付けられて同乗者を乗せるために使用される補助シート。
【請求項２】
上記横バーが本体に対して座いすの前後方向を回転軸に回動可能とされている請求項１に記載の補助シート。
【請求項３】
上記座いすに腰掛けた同乗者が足を載せるステップを備えており、
この横バーが前後方向に伸びた姿勢を維持した状態でステップより下方に回動した位置が下降点とされている請求項２に記載の補助シート。
【請求項４】
主フレームと、主フレームの左右に位置する一対の補助車輪と、この補助車輪を支持する一対の補助支持装置と、補助シートとを備えており、
この補助支持装置が昇降装置及び固定装置を備えており、
この昇降装置が主フレームに支持されており、
この昇降装置が弾性体を備えており、
この補助車輪が昇降装置に回転可能に取り付けられており、
この補助車輪が昇降装置により主フレームに対して上下方向の移動を可能に支持されており、
この補助車輪が弾性体により下方に付勢されており、
この固定装置が補助車輪の上下方向の移動を固定及び固定解除可能にされており、
この補助シートが本体、座いす及びガイドバーを備えており、
この本体が主フレームに固定されており、
この座いすが本体に固定されており、
このガイドバーが本体に固定され座いすの外側に位置しており、
このガイドバーが横バーを備えており、
この横バーが座いすの側面に位置して座いすの前後方向に伸びている自転車。
【請求項５】
上記横バーが本体に対して座いすの前後方向を回転軸に回動可能とされている請求項４に記載の自転車。
【請求項６】
上記座いすに腰掛けた同乗者が足を載せるステップを備えており、
この横バーが前後方向に伸びた姿勢を維持した状態でステップより下方に回動した位置が下降点とされている請求項５に記載の自転車。
【請求項７】
補助シートを備えており、
この補助シートが２つの座いすを備えた自転車。
【発明の詳細な説明】
【技術分野】
【０００１】
本発明は、同乗者を載せる補助シート及びその補助シートを備えてた自転車に関する。
【背景技術】
【０００２】
運転者の他に人を同乗させる補助シートを備えた自転車がある。例えば、自転車の後部荷台に同乗者を乗せる座席を備えた自転車がある。同乗者を乗せた自転車が転倒すると、同乗者は路面に身体を打ち付けられる怖れがある。また、同乗者が乗り降りする際には、自転車が左右に傾き易い。この傾きにより、自転車が転倒することがある。
【０００３】
自転車の後部に取り付けられる幼児用座席が、特開２００１−９７２６５号公報に記載されている。この幼児用座席は、胴部背面を保護する背壁と、胴部側面を保護する側壁と、後頭部を保護する枕とを備えている。この幼児用座席は、足載部を備えている。この幼児用座席に座った状態で、この足載部に足が載せられる。その姿勢でシートベルトがされる。これにより、幼児が落下することが防止されている。自転車が転倒した際に、幼児の身体が地面に打ち付けられることが抑制されている。
【特許文献１】特開２００７−１４５３１８号公報
【発明の開示】
【発明が解決しようとする課題】
【０００４】
この自転車では、同乗者である幼児の脚は側面方向に露出している。座席に座った幼児の肩部の側面は露出している。この自転車が横転すると、幼児の脚側面及び肩側面が路面に打ち付けられる可能性がある。路面は、一般に摩擦係数が高い。路面に身体が擦られると衣服を着ていても負傷するおそれがある。
【０００５】
この幼児座席には、左右いずれかの側面から乗り降りがされる。前後二輪からなる自転車は左右方向の安定性に劣る。幼児座席の乗り降りの際には、この自転車は左右に倒れやすい。この幼児座席の足載部は、座った状態で足が載せられる。幼児がこの幼児座席の乗り降りに足をかけるには、この足載部の位置は高すぎる。この幼児座席には、乗り降りが容易ではなく、安全性にも欠ける。
【０００６】
本発明の目的は、同乗者の安全性に優れた補助シート及びこの補助シートを備えた自転車の提供にある。
【課題を解決するための手段】
【０００７】
本発明に係る補助シートは、本体、座いす及びガイドバーを備えている。この座いすは、本体に固定されている。このガイドバーは、本体に固定され座いすの外側に位置している。このガイドバーは、横バーを備えている。この横バーは、座いすの側面に位置して座いすの前後方向に伸びている。この補助シートは、自転車に取り付けられて同乗者を乗せるために使用される。
【０００８】
好ましくは、この補助シートの横バーが本体に対して座いすの前後方向を回転軸に回動可能とされている。
【０００９】
好ましくは、この補助シートは、上記座いすに腰掛けた同乗者が足を載せるステップを備えている。この横バーは、前後方向に伸びた姿勢を維持した状態でステップより下方に回動した位置が下降点とされている。
【００１０】
本発明に係る自転車は、主フレームと、主フレームの左右に位置する一対の補助車輪と、この補助車輪を支持する一対の補助支持装置と、補助シートとを備えている。この補助支持装置は、昇降装置及び固定装置を備えている。この昇降装置は、主フレームに支持されている。この昇降装置は、弾性体を備えている。この補助車輪は、昇降装置に回転可能に取り付けられている。この補助車輪は、昇降装置により主フレームに対して上下方向の移動を可能に支持されている。この補助車輪は、弾性体により下方に付勢されている。この固定装置は、補助車輪の上下方向の移動を固定及び固定解除可能にされている。この補助シートは、本体、座いす及びガイドバーを備えている。この本体は、主フレームに固定されている。この座いすは、本体に固定されている。このガイドバーは、本体に固定され座いすの外側に位置している。このガイドバーは、横バーを備えている。この横バーは、座いすの側面に位置して座いすの前後方向に伸びている。
【００１１】
好ましくは、この自転車の補助シートの横バーが本体に対して座いすの前後方向を回転軸に回動可能とされている。
【００１２】
好ましくは、この自転車の補助シートは、上記座いすに腰掛けた同乗者が足を載せるステップを備えている。この横バーは、前後方向に伸びた姿勢を維持した状態でステップより下方に回動した位置が下降点とされている。
【００１３】
好ましくは、この自転車は、補助シートを備えている。この補助シートは、２つの座いすを備えている。
【発明の効果】
【００１４】
本発明に係る補助シートは、自転車の同乗者の安全性に優れている。本発明に係る自転車は、同乗者の安定性に優れている。
【発明を実施するための最良の形態】
【００１５】
以下、適宜図面が参照されつつ、好ましい実施形態に基づいて本発明が詳細に説明される。
【００１６】
図１は、本発明の一実施形態に係る自転車２の正面図である。図２は、図１の自転車２が後方から見られた側面図である。図１の右向きが、この自転車２の前方向きである。図１の左向きが、自転車２の後方向きである。この自転車２は、主フレーム４、前輪６、後輪８、操舵装置１０、駆動装置１２、主フレーム４の左右に位置する一対の補助車輪１４、この補助車輪１４を支持する補助支持装置１６及び駐車装置１８を備えている。主フレーム４は、サドル２０及び補助シートとしての後部シート２２を備えている。サドル２０は、主フレーム４の中央上方に位置している。後部シート２２は、サドル２０の後方に位置している。
【００１７】
操舵装置１０は、ハンドル２４及び操舵軸２６を備えている。操舵軸２６の上方端にハンドル２４が固定されている。ハンドル２４の中央が、操舵軸２６の上方端に固定されている。この操舵軸２６は主フレーム４の前方に位置している。この操舵軸２６は、その軸線を回転軸に回転可能に主フレーム４に支持されている。前輪６は、この操舵軸２６の下方に回転可能に取り付けられている。後輪８は、主フレーム４の後方に回転可能に取り付けられている。
【００１８】
駆動装置１２は、左右一対のクランク２８、図示しない駆動ギア、チェーン３０及び図示しない従動ギアを備えている。左右一対のクランク２８は、主フレーム４に回転可能に取り付けられている。駆動ギアが、主フレーム４に対して回転可能に取り付けられている。クランク２８と駆動ギアとは、一体に回転可能とされている。従動ギアは、主フレーム４の後方に回転可能に取り付けられている。この従動ギアと後輪８とは一体に回転可能とされている。チェーン３０は、駆動ギアと従動ギアとに架け渡されている。
【００１９】
図３は、図１の自転車２の右側の補助車輪１４及び補助支持装置１６の部分拡大図である。左右に一対の補助車輪１４のうち、左側の補助車輪１４は、主フレーム４の左側に位置している。右側の補助車輪１４は、主フレーム４の右側に位置している。この補助車輪１４は、補助支持装置１６に回転可能に支持されている。この自転車２では、補助車輪１４は、後部シート２２の下方の主フレーム４の左右側面に位置している。
【００２０】
補助支持装置１６は、昇降装置３２及び固定装置３４を備えている。昇降装置３２は、スイングアーム３６及び弾性体としてのコイルスプリング３８を備えている。補助車輪１４は、スイングアーム３６の一端に回転可能に取り付けられている。スイングアーム３６の他端は、主フレーム４に軸着されている。スイングアーム３６は主フレーム４に対して上下方向に回動可能とされている。コイルスプリング３８は、主フレーム４に取り付けられている。コイルスプリング３８は、スイングアーム３８を下方に付勢するように取り付けられている。
【００２１】
固定装置３４は、固定レバー３９、左右一対の拘束板４０及び左右一対のブレーキ４１を備えている。固定レバー３９は、ハンドル２４の右端に軸着されている。固定レバー３９はこの軸着された一端を支点に回動可能に取り付けられている。固定レバー３９とブレーキ４１とは、ワイヤーにより連結されている。拘束板４０は、主フレーム４に取り付けられている。ブレーキ４１は、スイングアーム３６に取り付けられている。この固定装置３４では、固定レバー３９がハンドル２４と共に握られることでワイヤーが引かれるようにされている。ワイヤーが引かれることで、拘束板４０がブレーキ４１に挟み込まれるようにされている。これにより、スイングアーム３６の回動が固定されるようにされている。
【００２２】
駐車装置１８は、駐車レバー４２を備えている。駐車レバー４２は、主フレーム４に取り付けられている。駐車レバー４２はワイヤーにより前輪ブレーキ及び一対の固定装置３４のブレーキ４１に連結されている。この駐車レバー４２が引かれることでワイヤーが引かれ、スイングアームの回動が固定されるようにされている。図示されないが、この自転車２では、この駐車レバー４２が引かれることで、前輪６のブレーキも同時にかけられるようにされている。
【００２３】
後部シート２２は、本体としてのシートフレーム４４、ステップ４６、左右一対のガイドバー４８、ガイドステイ５０、前後方向に列べられた座いす５２及び座いす５２の前方に位置する把持部５４を備えている。
【００２４】
シートフレーム４４は、基台５５及び基台ステイ５６を備えている。基台５５は、矩形の板である。基台５５は、自転車２の前後方向を長手方向として配置されている。この基台５５から下方に向かって基台ステイ５６が伸びている。この基台ステイ５６は、主フレーム４に固定されている。
【００２５】
ステップ４６は、矩形の板である。このステップ４６は基台ステイ５６に固定されている。ステップ４６は、自転車２の前後方向を長手方向とされている。ステップ４６は、矩形平面を水平方向に平行に配置されている。ステップ４６は、シートフレーム４４の基台５５の下方であって、後部シート２２に腰掛けた人が足を載せる高さに位置している。
【００２６】
ガイドバー４８は、横バー５８、後バー６０及びステイバー６２を備えている。横バー５８、後バー６０及びステイバー６２は、クッション材が巻かれた丸棒である。横バー５８は、自転車２の前後方向に伸びている。この自転車２では、横バー５８は水平方向に伸びている。横バー５８の後方端は、後バー６０に連続している。後バー６０は、横バー５８と垂直に交差する方向に延びている。後バー６０は、左右方向に伸びている。この自転車２では、後バー６０は水平方向に伸びている。横バー５８から垂直に伸びた先端には、係止孔６３が設けられている。
【００２７】
この自転車２では、横バー５８の長手方向途中から垂直に２本のステイバー６２が伸びている。このステイバー６２の先端は、シートフレーム４４の基台５５に軸着されている。これにより、ガイドバー４８は、シートフレーム４４に対して回動可能に支持されている。ガイドバー４８は、自転車２の前後方向を回転軸として回動可能とされている。ガイドバー４８は、横バー５８の前後方向に水平に伸びる姿勢を維持した状態で回動可能とされている。
【００２８】
ガイドステイ５０は、シートフレーム４４の基台５５の後方に上下方向に伸びている。このガイドステイ５０の下端は基台５５に固定されている。ガイドステイ５０の上端には、支持部６４が形成されている。この支持部６４は、ガイド６６及び固定ピン６８を備えている。ガイド６６は、後バー６０の先端が収まる形状とされている。固定ピン６８は、ガイド６６に支持されている。固定ピン６８は、その長手方向に摺動可能に支持されている。図３の自転車２では、固定ピン６８は、ガイドバー４８の後バー６０の係止孔６３に通されている。これにより、ガイドステイ５０がガイドバー４８を固定している。
【００２９】
座いす５２は、座面７０、背もたれ７２、枠７４及びシートベルト７５を備えている。この自転車２では、サドル２２の後方で前後方向に２つの座いす５２がシートフレーム４４に固定されている。座面７０の後方には、背もたれ７２が起立している。この座面７０の横側面及び背後側面には、枠７４が起立している。この枠７４は、背もたれ７２の背面を覆うように設けられている。この枠７４には、シートベルト７５が取り付けられている。
【００３０】
この枠７４の左右側面外側に、横バー５８が自転車２の前後方向に伸びている。この枠７４の背面外側に、後バー６０が左右方向に延びている。この枠７４の左右側面及び背面の外側は、ガイドバー４８により保護されている。
【００３１】
把持部５４は、それぞれの座いす５２の前方に位置している。把持部５４は、左右方向に延びるグリップ７６及びグリップ７６の両端から下方に伸びるバー７８からなる。下方に伸びるバー７８の下端は、シートフレーム４４の基台５５に固定されている。このグリップ７６は、座いす５２に腰掛けた子供が握り易い位置に配置されている。
【００３２】
運転者により、図１の自転車２の駐車レバー４２が引かれる。これにより、固定装置３４によりスイングアーム３６が固定される。これにより、前輪６にブレーキがかけられる。この自転車２は前後方向の走行が規制される。スイングアーム５８に取り付けられた補助車輪１４が、地面に接地した状態で固定される。この自転車２は左右方向の傾きが規制される。
【００３３】
図４は、図１の自転車２の後部シート２２の使用状態が示された正面図である。図５は図１の自転車２の後部シート２２の使用状態が示された側面図である。図５は、図４の使用状態の後部シート２２が後から見られた側面図である。図２の後部シート２２の状態から、固定ピン６８が係止孔６３から抜かれる。図５に示すように、ガイドバー４８が自転車２の前後方向を回転軸として回動させられる。これにより、横バー５８がステップ４６より下方に下がる。この自転車２では、ステップ４６がガイドバー４８の回動の下降端のストッパーを兼ねている。このストッパーは主フレーム４に別に設けられてもよい。この横バー５８は、自転車２の前後方向に水平に伸びた姿勢が維持されている。この自転車２では、ステップ４６がガイドバー４８のストッパーを兼ねている。この後部シート２２では、ステップ４６と下降端でのガイドバー４８の高さ方向の位置関係が一定に定まる。この後部シート２２は、他の自転車に取り付けてもステップ４６と下降端でのガイドバー４８の高さ方向の位置関係が一定に定まる。
【００３４】
後部シート２２に乗る子供は、この横バー５８に一方の足をかける。次ぎに、子供は他方の足をステップ４６に載せる。その後に、子供は一方の足もステップ４６に載せる。子供は、ステップ４６に足を載せた状態で、座いす５２に腰掛ける。シートベルト７５がされる。子供の身体は、座面７０、枠７４及びシートベルト７５により固定される。座いす５２に腰掛けた子供は、両手でグリップ７６を握る。
【００３５】
下方に下げられたガイドバー４８が、上方に回動させられる。後バー６０の先端がガイド６６に案内されつつ所定の位置で支持される。固定ピン６８が係止孔６３に通される。これにより、ガイドバー４８がガイドステイ５０により固定される。これにより、この座いす５２の左右側面及び背面は、ガイドバー４８により保護される。
【００３６】
運転者が、図１の自転車２のサドル２０に腰掛ける。運転者が、右手でハンドル２４及び固定レバー３９を一緒に握る。次ぎに、左手で駐車レバー４２が元の位置に戻され、固定装置３４が解除される。固定レバー３９が握られているため、補助車輪１４の上下方向の回動が固定された状態が維持されている。
【００３７】
自転車２のクランク２８が運転者により漕がれる。クランク２８が回転する。クランク２８の回転により、駆動ギアが回転する。駆動ギアの回転は、チェーン３０に伝えられる。このチェーン３０により、従動ギアに回転が伝えられる。従動ギアの回転により、後輪８が回転する。後輪８の回転により、自転車２は走行させられる。
【００３８】
固定レバー３９が放されると、補助車輪１４の上下方向の回動の固定が解除される。図３に示すように、この自転車２では、コイルスプリング３８の付勢力により、左右の補助車輪１４が地面に接地している。この自転車２では、地面の凹凸に対応してスイングアーム３６が上下方向に回動する。これにより、自転車２が左右に揺すられることが抑制されている。左右に傾斜した斜面では、この自転車２は車体を傾けずに左右の補助車輪１４を接地させて走行することができる。この自転車２は、凹凸の大きい地面及び左右に傾斜した地面の走行時の安定性に優れている。
【００３９】
この自転車２の停車時には、運転者の右手で図１のハンドル２４、ブレーキレバー及び固定レバー３９が握られる。これにより、自転車２は停車すると同時に補助車輪１４の上下方向の回動が固定される。これにより、左右の補助車輪１４が地面に接地した状態で固定される。この自転車２は、左右方向に倒れることなく安全に停止できる。特に二人以上の複数人が乗車している時には、停車時に車体が傾きやすい。この自転車２ではこの傾きが抑制される。
【００４０】
運転者の左手で駐車レバー４２が引かれる。その後に、右手で握られた、固定レバー３９が放される。これにより、前輪ブレーキがかけられ、補助車輪１４の上下方向の回動が固定された状態が維持されている。この状態で、後部シート２２から子供が降ろされる。後部シートから降りる際は、前述の乗る手順と逆手順であり、その説明は省略される。子供が降りる際にも、横バー５８が踏み台として使用される。これにより、子供は安全に降りることができる。
【００４１】
この自転車２が転倒した際には、ガイドバー４８が地面に接地する。このガイドバー４８は、座いす５２の外側に位置している。これにより、座いす５２に乗った子供の身体が直接に地面に衝突することが避けられている。この後部シート２２は、転倒時の安全性に優れている。
【００４２】
この後部シート２２では、横バー５８が回動可能とされている。後部シートの乗り降りの際に、子供が横バー５８を跨ぐ必要がない。子供の乗り降りの際に、運転者が横バー５８を超える高さまで子供を抱き上げる必要がない。この後部シート２２は、人の乗り降りが容易にされている。
【００４３】
この後部シート２２では、横バー５８が乗り降り時の踏み台となっている。これにより、小さな子供でも、乗り降りが容易になっている。この後部シート２２は、人の乗り降りが容易にされている。
【００４４】
この自転車２の固定装置３４により、補助車輪１４が接地した状態で固定されている。これにより、後部シート２２への乗り降り時にこの自転車２が左右方向に傾くことが抑制されている。この自転車２は、安全に後部シートへの乗り降りが可能とされている。特に、横バー５８が踏み台として使われる場合には、自転車２が傾きやすい。補助車輪１４が接地された状態で固定されることで、この自転車２には安定性が確保されている。
【００４５】
この自転車２の昇降装置３２により、補助車輪１４が確実に地面に接地する。凹凸の大きな地面や左右に傾斜した斜面においても、自転車２を傾けること無く、左右の補助車輪１４が接地される。この昇降装置３２と固定装置３４を備えることにより、自転車２の左右方向の傾きに対する安全性がより確保されている。
【００４６】
特に、二人以上の複数人が乗り降りする際に及び二人以上の複数人を乗車させて走行する際に、バランスが崩れやすい。この自転車２は、二人以上の複数人が同乗する状態においても安定性に優れている。
【００４７】
この自転車２では、サドル２０の後方に後部シート２２を配置している。この後部シート２２に代えて、サドル２０の前方に同乗者を乗せる補助シートを設けてもよい。補助車輪１４は、補助シートの下方の主フレーム４の左右側面に設けられることが好ましい。
【００４８】
この自転車２では、駐車レバー４２により、前輪６の制動と補助車輪１４の上下方向の回動の固定とが同時にされているが、後輪８の制動と補助車輪１４の上下方向の回動の固定が同時にされてもよい。また、固定レバー３９のハンドル２４の左右端の位置を置き換えてもよい。この固定レバー３９が、前輪ブレーキのレバー又は後輪ブレーキのレバーと同時に握られるようにハンドルに取り付けられてもよい。この自転車２では、子供を同乗者として説明されたが、同乗者は子供に限られない。
【００４９】
本発明に係る補助シート及びこの補助シートを備えた自転車は、停止状態及び走行状態での安定性に優れている。この補助シートを備えた自転車では、同乗者の乗り降りが安全かつ容易にできる。
【産業上の利用可能性】
【００５０】
本発明に係る自転車は、同乗者を乗せる補助シートを備えた自転車として好適である。
【図面の簡単な説明】
【００５１】
【図１】図１は、本発明の一実施形態に係る自転車の正面図である。
【図２】図２は、図１の自転車が後方から見られた側面図である。
【図３】図３は、図１の自転車の右側の補助車輪及び補助支持装置の部分拡大図である。
【図４】図４は、図１の自転車の後部シートの使用状態がしまされた正面図である。
【図５】図５は、図１の自転車の後部シートの使用状態が示された側面図である。
【符号の説明】
【００５２】
２・・・自転車
４・・・主フレーム
６・・・前輪
８・・・後輪
１０・・・操舵装置
１２・・・駆動装置
１４・・・補助車輪
１６・・・補助支持装置
１８・・・駐車装置
２０・・・サドル
２２・・・後部シート
２４・・・ハンドル
２６・・・操舵軸
２８・・・クランク
３０・・・チェーン
３２・・・昇降装置
３４・・・固定装置
３６・・・スイングアーム
３８・・・コイルスプリング
３９・・・固定レバー
４０・・・拘束板
４１・・・ブレーキ
４２・・・駐車レバー
４４・・・シートフレーム
４６・・・ステップ
４８・・・ガイドバー
５０・・・ガイドステイ
５２・・・座いす
５４・・・把持部
５５・・・基台
５６・・・基台ステイ
５８・・・横バー
６０・・・後バー
６２・・・ステイバー
６４・・・支持部
６６・・・ガイド
６８・・・固定ピン
７０・・・座面
７２・・・背もたれ
７４・・・枠
７５・・・シートベルト
７６・・・グリップ
７８・・・バー
【図１】
2009248837.tif 000003
【図２】
2009248837.tif 000004
【図３】
2009248837.tif 000005
【図４】
2009248837.tif 000006
【図５】
2009248837.tif 000007